(57)【特許請求の範囲】
【請求項１】
エレベータの乗場壁面に設けられるエレベータ乗場機器において、水に濡れると状態が変化するシートを、前記エレベータ乗場機器の表面板裏面に取付けた、上部、左右部および裏面部を覆うカバーの中に、貼り付けたことを特徴とするエレベータ乗場機器。
【発明の詳細な説明】
【技術分野】
【０００１】
本発明はエレベータにおいて、乗場呼び登録を行うエレベータ乗場機器などの改良に関するものである。
【背景技術】
【０００２】
エレベータの乗場にエレベータ乗場機器が設置されることは周知である。これらの装置は特殊な仕様を除いて、一般的に簡易な被水対策を行っている程度で、雨水や結露、清掃による水がエレベータ乗場機器内部に侵入すると内部の電装部品が故障するなど比較的水に弱い構造となっている。
【０００３】
そのためエレベータの乗場扉前に庇を設けたり、乗場扉前の床を傾斜させて昇降路内に水が浸入することを防ぐ対策を建築物側で行ったり、メンテナンスマニュアル等で水を絞った布による水拭きや空拭きを推奨して、管理者の啓蒙を図るなど、エレベータ乗場機器内部に水が侵入しないように対処してきた。
【０００４】
特に防水性能が要求される場合は、図６に示すようにエレベータ乗場機器全面にカバーを設置するなどの方法が提案されている。（文献１参照）
【０００５】
図６におけるエレベータ乗場１７において１２は乗場壁であり、前記乗場壁１２の開口にエレベータ乗場ドア１６が設けられ、前記エレベータ乗場ドア１６横の乗場壁に           乗場ユニット１５が設けられ、前記乗場ユニット１５には乗場インジケータ１３および乗場押ボタン１４が設けられ、前記乗場ユニット１５全体をエレベータ乗場機器の防水装置２１の透明フィルム１８によってカバーし、前記透明フィルム１８は前記乗場ユニット１５の上方に取り付けられたフィルム供給軸１９より供給され、前記乗場ユニット１５の下方に取り付けられたフィルム回収軸２０によって回収され、前記フィルム供給軸１９およびフィルム回収軸２０は防水フレーム２４Ａおよび２４Ｂで表面をカバーされている。
【先行技術文献】
【特許文献】
【０００６】
【特許文献１】特開２０１０−２３９３６号公報
【特許文献２】特開平７−３３４０８２号公報
【発明の概要】
【発明が解決しようとする課題】
【０００７】
エレベータ乗場機器に特別な防水、防滴性能が付加されていないエレベータにおいて、エレベータ乗場機器内部の部品が被水したことによって故障が発生した場合、故障したエレベータ乗場機器を点検した時点ではすでに水分が蒸発しており、原因が不明となる、若しくは特定に時間がかかるなどの問題があった。
【０００８】
仮に水による故障と判断できたとしても、外部から侵入した水が原因なのか、エレベータ乗場機器内部の結露が原因であるのか判断できなかった。
【０００９】
こういった故障の場合、エレベータ乗場機器内部の結露が原因であれば、メーカーによる無償修理も考えられるが、外部から侵入した水が原因である場合、本来、管理者の管理方法に問題があったとして、有償修理とすべきであるにも関わらず、原因の特定が困難であったり、仮に水が原因と判明しても、外部からの侵入か内部における結露か判断が困難なことから、クレームとして無償修理を行わねばならないなど問題があった。
【００１０】
特に、エレベータの乗場が建物内に設置され、乗場が屋外に開放されていないような場合、雨水が浸入する可能性も低く、管理方法の問題である可能性が高いことから、エレベータ乗場機器内部に水が侵入したかどうか、侵入経路はどこか等の判定が原因究明と責任の所在を明確にするために重要な要素となる。
【課題を解決するための手段】
【００１１】
従来より、ラジオ、ビデオカメラ、カメラ、携帯電話機等の戸外で使用することもある電気製品等の内部又は外部に貼着して、該電気製品等が、水没など水濡れをした経歴があるか否かを判定するために用いられるラベル、シールが知られている。（文献２参照）
【００１２】
本発明は、エレベータの乗場壁面に設けられるエレベータ乗場機器において、水に濡れると状態が変化するシートを、前記エレベータ乗場機器の表面板裏面に取付けた、上部、左右部および裏面部を覆うカバーの中に、貼り付ける。
【発明の効果】
【００１３】
本発明によれば、エレベータ乗場機器が故障した際、第１に水による故障かどうかの判定を迅速に行うことが可能であり、原因の究明および対策の立案をすばやく行うことができる。第２にエレベータ乗場機器内部に外部から水が浸入したかどうかを迅速に判断可能であり、雨水等がエレベータ乗場機器内部に侵入する可能性が低い設置環境で、外部から水が浸入した形跡があれば、管理上の問題で水がエレベータ乗場機器内部に侵入した可能性が高く、明確な証拠を基に責任の所在を判断することができる。
【図面の簡単な説明】
【００１４】
【図１】エレベータ乗場機器内部に水濡れ判別シートを添付した場合の表面板裏面図
【図２】実施例２に係るエレベータ乗場機器の表面板裏面図
【図３】図２のＡ部を拡大した斜視図
【図４】実施例３に係るプリント回路の正面図
【図５】実施例４に係るプリント回路の正面図
【図６】従来の技術に係るエレベータ乗場機器に防水カバーを付した場合の入口正面図
【発明を実施するための形態】
【００１５】
以下、本発明の実施例について図面を用いて説明する。
図１は、本発明に係るエレベータ乗場機器の一例を示す。図２は、本発明に係るエレベータ乗場機器の別の例を示す。図４および図５は、本件発明に係るプリント回路を示す。
図２または図３に示す図１と対応する部分については、同一の符合を付して重複する説明を省略する。また、図５に示す図４と対応する部分については、同一の符合を付して重複する説明を省略する。
【実施例１】
【００１６】
実施例１について図１を用いて説明する。
【００１７】
図１における１はエレベータ乗場機器を表し、１ａは表面板、３はボタンスイッチ、４は水濡れ判別シート、５はエレベータ乗場機器を制御するマイコンや位置表示を行うＬＥＤドットディスプレイ等が搭載されたプリント回路、そして６は前記エレベータ乗場機器１の前記表面板１ａの補強と前記プリント回路５および前記ボタンスイッチ３等の取り付け部材を兼ねた、鋼板若しくは樹脂等にてなるブラケットである。
【００１８】
前記水濡れ判別シート４を意匠面に露出して貼り付けることも可能であるが、乗場の意匠性を損ない、また、水を絞った布で清掃しても前記水濡れ判別シート４が反応してしまう恐れがあることから、これらを回避する対策を施した水濡れ判別シートでなければ採用することが難しかった。
【００１９】
そこで、意匠性の低下を避け、誤反応を防ぐために、前記エレベータ乗場機器１の内部に、前記水濡れ判別シート４を貼り付ける。
【００２０】
前記水濡れ判別シート４は、水に濡れると、着色したり、予め水溶性インクで印刷されたマーク等が滲んだりすることによって、水に濡れたことが判断可能な周知のシートである。
【００２１】
例えば、図１において前記エレベータ乗場機器１の周囲壁を水拭きで清掃した場合、前記エレベータ乗場機器１の内部に水が侵入する経路として、前記エレベータ乗場機器１の上部が考えられ、前記エレベータ乗場機器１の内部に侵入した水は上部から下部に向かって、前記表面板１ａの裏面を流れ落ちる。
【００２２】
図１に示したように、前記エレベータ乗場機器１の表面板１ａの裏面上部に、前記水濡れ判別シート４を貼り付ける。
【００２３】
前記エレベータ乗場機器１の内部に前記水濡れ判別シート４を貼り付けることにより、意匠性を損ねることなく、前記エレベータ乗場機器１の内部に、外部から水が侵入したことよる故障と判断することができる。
【実施例２】
【００２４】
図２を用いて実施例２を説明する。
【００２５】
実施例１は外部からエレベータ乗場機器１の内部に水が侵入したかどうかを判断する手段に前記水濡れ判別シート４を利用したものであった。
【００２６】
図２に示す実施例２は、前記エレベータ乗場機器１内部で結露が発生したかどうかの判断に水濡れ判別シート９を利用するものである。
【００２７】
図２における前記水濡れ判別シート９およびカバー１０を示した二点鎖線円Ａ部の、拡大した斜視図を図３に示す。
【００２８】
ブラケット６に前記水濡れ判別シート９を張り付け、前記水濡れ判別シートの上部、左右部および裏面部を覆うことができる樹脂や金属板などで形成された前記カバー１０を両面接着テープなどで、前記水濡れ判別シート９を覆うように張り付けたり接着したりする。
【００２９】
前記カバー１０の下部は塞がれていないため、前記エレベータ乗場機器１内部の気体中にある水分は自由に行き来することができ、仮に、結露するような環境であれば、前記カバー１０の内部も結露することになる。
【００３０】
前記水濡れ判別シート９は上部、左右部および裏面部が覆われているため、外部から侵入した水が前記水濡れ判別シート９に接触することはない。従って、前記エレベータ乗場機器１に故障が発生した場合、前記カバー１０に覆われた前記水濡れ判別シート９が着色したり、滲んだりして反応していれば、結露により故障した可能性が高いと判断できる。
【００３１】
実施例２は実施例１と組合わせて実施することにより、外部から前記エレベータ乗場機器１への水侵入の有無と前記エレベータ乗場機器１内部における結露発生の有無を合わせて判断することができ、より精度の高い故障原因の究明が可能となる。
【実施例３】
【００３２】
エレベータ乗場機器の被水による故障は、内部の電装品、つまりプリント回路やボタンスイッチの内部回路が短絡したり、発錆することによって引き起こされる。
【００３３】
そこで、図４に示すように、短絡や発錆することにより、故障が起こると想定されるプリント回路上の部品や釦スイッチの近傍に水濡れ判別シートを貼り付けることにより、故障時に水の浸入があったかどうかの判断を行うことができる。
【００３４】
図４に示すプリント回路５における２２はプリント基板を示し、ＬＥＤドットマトリクスディスプレイ７、マイコン８およびコネクター１１は前記プリント基板上に半田付される。９は水濡れ判別シートである。
【実施例４】
【００３５】
エレベータ乗場機器に内蔵されるプリント回路は防湿剤でコーティングされることがある。防湿剤のコーティングはスプレーなどによる吹き付けで行われ、プリント回路の表面に満遍なく吹き付けられる。
【００３６】
ところが、プリント回路上で背の高い部品や挿入実装部品のＬＥＤドットマトリクスディスプレイやコネクターなどは、細部まで十分に防湿剤がコーティングできない場合がある。
【００３７】
このような場合、短絡や発錆が発生するのは、防湿剤が十分にコーティングされていない部品であることが多い。
【００３８】
そこで、図５に示すように、プリント回路５の、例えば、ＬＥＤドットマトリクスディスプレイ７、マイコン８、コネクター１１など、防湿剤が十分にコーティングされない可能性がある部品とプリント基板２２の間に、予め水濡れ判別シート９を貼り付けておき、故障解析の際、当該部品を外し、水濡れの有無を判断する。
【００３９】
実施例４は実施例１乃至３と適宜組合わせて実施することにより、より精度よく、故障原因を追求することが可能である。
【符号の説明】
【００４０】
１          エレベータ乗場機器
１ａ        表面板
３          ボタンスイッチ
４、９      水濡れ判別シート
５          プリント回路
７          ＬＥＤドットマトリクスディスプレイ
８          マイコン
１０        カバー
１１        コネクター
２２        プリント基板
【図１】
0005601166.tif 000002
【図２】
0005601166.tif 000003
【図３】
0005601166.tif 000004
【図４】
0005601166.tif 000005
【図５】
0005601166.tif 000006
【図６】
0005601166.tif 000007